(57)【要約】【課題】特殊な材料や機材を必要とせず、より簡単な構成で、より簡単に保守できる。【解決手段】外部から供給されるエネルギーにより、シリンダ、シリンダヘッドおよびピストンで密閉されている水を加熱する、シリンダヘッドに設けられている加熱手段と、外部からの冷却媒体により水を冷却する、シリンダに設けられている冷却手段とを備え、シリンダ、シリンダヘッドおよびピストンは、常に水を密閉している。【選択図】図１
2019196713.tif 000002
【特許請求の範囲】
【請求項１】
シリンダ、シリンダヘッドおよびピストンを備えるレシプロ式熱機関において、
外部から供給されるエネルギーにより、前記シリンダ、前記シリンダヘッドおよび前記ピストンで密閉されている水を加熱する、前記シリンダヘッドに設けられている加熱手段と、
外部からの冷却媒体により前記水を冷却する、前記シリンダに設けられている冷却手段と
を備え、
前記シリンダ、前記シリンダヘッドおよび前記ピストンは、常に前記水を密閉している
レシプロ式熱機関。
【請求項２】
請求項１に記載のレシプロ式熱機関において、
前記加熱手段には、液状となった前記水を収納するための容器状の収納部が形成され、
前記収納部には、前記水が前記収納部に出入りするための孔が形成されている
レシプロ式熱機関。
【請求項３】
請求項２に記載のレシプロ式熱機関において、
前記加熱手段は、前記シリンダヘッドの外側に露出し、
前記加熱手段の部分のうち、前記シリンダヘッドの外側に露出している部分には、外部からの光を熱に変換する光熱変換部が形成され、
前記光熱変換部で光から変換された熱は、前記シリンダヘッドの内側の前記水に伝達される
レシプロ式熱機関。
【請求項４】
請求項３に記載のレシプロ式熱機関において、
前記加熱手段の前記光熱変換部に太陽光を集光する集光手段をさらに備える
レシプロ式熱機関。
【請求項５】
請求項２に記載のレシプロ式熱機関において、
前記加熱手段は、電気である、外部から供給される前記エネルギーにより、前記水を加熱する
レシプロ式熱機関。
【請求項６】
請求項５に記載のレシプロ式熱機関において、
前記加熱手段は、抵抗加熱により、前記水を加熱する
レシプロ式熱機関。
【請求項７】
請求項５に記載のレシプロ式熱機関において、
前記加熱手段は、誘導加熱により、前記水を加熱する
レシプロ式熱機関。
【請求項８】
請求項５に記載のレシプロ式熱機関において、
前記加熱手段は、マイクロ波加熱により、前記水を加熱する
レシプロ式熱機関。
【請求項９】
請求項１に記載のレシプロ式熱機関において、
前記冷却手段は、外部からの水である前記冷却媒体により、前記シリンダ、前記シリンダヘッドおよび前記ピストンで密閉されている前記水を冷却する
レシプロ式熱機関。
【請求項１０】
請求項１に記載のレシプロ式熱機関において、
前記冷却手段は、外部の空気である前記冷却媒体により、前記シリンダ、前記シリンダヘッドおよび前記ピストンで密閉されている前記水を冷却する
レシプロ式熱機関。
【請求項１１】
請求項１に記載のレシプロ式熱機関において、
前記冷却手段は、液化ガス燃料である前記冷却媒体により、前記シリンダ、前記シリンダヘッドおよび前記ピストンで密閉されている前記水を冷却する
レシプロ式熱機関。
【発明の詳細な説明】
【技術分野】
【０００１】
本発明はレシプロ式熱機関に関し、特に、温度の異なる２つの熱源から動力を得るレシプロ式熱機関に関する。
【背景技術】
【０００２】
現在、既知の技術として確立され、実用化されている外燃機関として、コックムス社製４Ｖ−２７５Ｒ  ＭｋＩＩＩスターリングエンジンがある。しかし、内燃機関の様に、１サイクルだけシリンダ内に多くの燃料を送り込むといった操作ができず、負荷追従性に劣る。
【０００３】
また、機関の体積当たりの出力が低く、大出力を得ようとすると機関が大型化、大重量化する。機関の体積当たりの高出力化を得るため高圧ヘリウム等を用いる必要があるため、リーク問題がある。さらに、製造には高度なシーリング技術が要求され、保守の煩雑さを招いている。
【０００４】
従来、機関外部の熱源により加熱される加熱部と冷却媒体により冷却される冷却部とを有する密閉容器内に一定量の作動流体が封入されている外燃機関によって発電する外燃機関発電装置において、作動流体の膨張・収縮により電場応答性高分子が伸張収縮して電気を出力するようにしてものもある（例えば、特許文献１参照）。
【先行技術文献】
【特許文献】
【０００５】
【特許文献１】特開２０１０−１３８８７８号公報
【発明の概要】
【発明が解決しようとする課題】
【０００６】
しかしながら、上述の熱機関では、複雑な構造が必要になるか、または特殊な材料が必要になる。また、高分子材料を用いる場合、ピストン等を採用するときに比較して、耐久性が低下する恐れがある。さらに、ヘリウムを用いる場合、保守のインターバルが短くなり、保守には、特殊な機材が必要になる。
【０００７】
本発明は、このような状況に鑑みてなされたものであり、特殊な材料や機材を必要とせず、より簡単な構成で、より簡単に保守できるようにするものである。
【課題を解決するための手段】
【０００８】
本発明の一側面のレシプロ式熱機関は、シリンダ、シリンダヘッドおよびピストンを備えるレシプロ式熱機関であって、外部から供給されるエネルギーにより、シリンダ、シリンダヘッドおよびピストンで密閉されている水を加熱する、シリンダヘッドに設けられている加熱手段と、外部からの冷却媒体により水を冷却する、シリンダに設けられている冷却手段とを備え、シリンダ、シリンダヘッドおよびピストンは、常に水を密閉している。
【０００９】
シリンダ、シリンダヘッドおよびピストンが、常に水を密閉しているようにしたので、動弁系などの機構が不要になり、より簡単な構成となり、また、シーリングすべき部分が減り、密閉されている水が外部に放出されてしまう可能性を低くすることができるので、より長いインターバルで、より簡単にメンテナンスできるようになり、より簡単に保守できる。さらに、シリンダ、シリンダヘッドおよびピストンは、常に水を密閉し、加熱手段が、外部から供給されるエネルギーにより、密閉されている水を加熱し、冷却手段が、外部からの冷却媒体により水を冷却するので、構造を簡単にすることができ、特殊な材料や機材を必要としない。このように、特殊な材料や機材を必要とせず、より簡単な構成で、より簡単に保守できる。
【００１０】
加熱手段に、液状となった水を収納するための容器状の収納部を形成し、収納部には、水が収納部に出入りするための孔を形成することができる。このようにすることで、シリンダ、シリンダヘッドおよびピストンにより密閉されている水が、より容易に、液相の水が気相の水蒸気になることにより膨張でき、また水蒸気から液相の水になることにより収縮でき、これにより、より効率的にピストンを駆動させることができる。
【００１１】
加熱手段を、シリンダヘッドの外側に露出させ、加熱手段の部分のうち、シリンダヘッドの外側に露出している部分に、外部からの光を熱に変換する光熱変換部を形成し、光熱変換部で光から変換された熱が、シリンダヘッドの内側の水に伝達されるようにすることができる。このようにすることで、水を加熱するための、外部から供給されるエネルギーとして、太陽光などの光のエネルギーを利用することができる。
【００１２】
加熱手段の光熱変換部に太陽光を集光する集光手段をさらに設けることができる。このようにすることで、水を加熱するための、外部から供給されるエネルギーとして、太陽光などの光のエネルギーをより効果的に利用することができる。
【００１３】
加熱手段を、電気である、外部から供給されるエネルギーにより、水を加熱するものとすることができる。このようにすることで、水を加熱するための、外部から供給されるエネルギーとして、電気のエネルギーを利用することができる。
【００１４】
加熱手段には、抵抗加熱により、水を加熱させることができる。加熱手段には、誘導加熱により、水を加熱させることができる。加熱手段には、マイクロ波加熱により、水を加熱させることができる。
【００１５】
冷却手段には、外部からの水である冷却媒体により、シリンダ、シリンダヘッドおよびピストンで密閉されている水を冷却させることができる。このようにすることで、水を冷却する外部の冷却媒体として、川や湖、海の水などを利用することができる。
【００１６】
冷却手段には、外部の空気である冷却媒体により、シリンダ、シリンダヘッドおよびピストンで密閉されている水を冷却させることができる。このようにすることで、水を冷却する外部の冷却媒体として、レシプロ式熱機関の周辺の空気を利用でき、より簡単な構成とすることができる。
【００１７】
冷却手段には、液化ガス燃料である冷却媒体により、シリンダ、シリンダヘッドおよびピストンで密閉されている水を冷却させることができる。このようにすることで、水を冷却する外部の冷却媒体として、LNG（Liquefied Natural Gas）またはLPG（Liquefied Petroleum Gas）などの液化ガス燃料を利用することができる。
【発明の効果】
【００１８】
以上のように、本発明によれば、特殊な材料や機材を必要とせず、より簡単な構成で、より簡単に保守できるようになる。
【図面の簡単な説明】
【００１９】
【図１】レシプロ式熱機関１１の構成の例を示す図である。
【図２】レシプロ式熱機関１１の構成の他の例を示す図である。
【図３】レシプロ式熱機関１１の構成のさらに他の例を示す図である。
【図４】レシプロ式熱機関１１の構成のさらに他の例を示す図である。
【図５】レシプロ式熱機関１１の構成のさらに他の例を示す図である。
【図６】レシプロ式熱機関１１の構成のさらに他の例を示す図である。
【発明を実施するための形態】
【００２０】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００２１】
本発明の一側面の熱機関は、シリンダ、シリンダヘッドおよびピストンを備える熱機関（例えば、図１のレシプロ式熱機関１１）であって、外部から供給されるエネルギーにより、シリンダ、シリンダヘッドおよびピストンで密閉されている水を加熱する、シリンダヘッドに設けられている加熱手段（例えば、図１の沸騰器３２）と、外部からの冷却媒体により水を冷却する、シリンダに設けられている冷却手段（例えば、図１のクーリングジャケット３１）とを備え、シリンダ、シリンダヘッドおよびピストンは、常に水を密閉している。
【００２２】
加熱手段に、液状となった水を収納するための容器状の収納部（例えば、図１の収納部５１）を形成し、収納部には、水が収納部に出入りするための孔（例えば、図１の孔５２）を形成することができる。
【００２３】
加熱手段を、シリンダヘッドの外側に露出させ、加熱手段の部分のうち、シリンダヘッドの外側に露出している部分に、外部からの光を熱に変換する光熱変換部（例えば、図１の光熱変換部５３）を形成し、光熱変換部で光から変換された熱が、シリンダヘッドの内側の水に伝達されるようにすることができる。
【００２４】
加熱手段の光熱変換部に太陽光を集光する集光手段（例えば、図１の凹面鏡６１）をさらに設けることができる。
【００２５】
まず、本発明の一実施の形態のレシプロ式熱機関１１の概要について説明する。
【００２６】
本発明の一実施の形態のレシプロ式熱機関１１は、外部の２つのエネルギー源を利用して、熱エネルギーを運動エネルギーに変換するレシプロ式熱機関（外燃機関）である。レシプロ式熱機関１１の内部には、水（以下、封入水と称する。）が密封されている。例えば、レシプロ式熱機関１１は、温度の異なる２つの熱源で、封入水を液体、気体の２態間で相転移させることで高い熱効率を実現出来る。
【００２７】
レシプロ式熱機関１１は、シリンダ上部にて封入水が加熱、沸騰させられて、封入水の気化による加圧が行われ、シリンダ下部で水蒸気である封入水が冷却、凝結させられて、封入水の液化による減圧を発生させクランクシャフトを介し動力を得る。
【００２８】
レシプロ式熱機関１１において、封入水を加熱、沸騰させるには、可燃燃料の燃焼熱、電気抵抗での発熱、電磁誘導による誘導加熱、マイクロ波によるマイクロ波加熱、その他摩擦熱、地熱、太陽光による加熱等を採用することができる。レシプロ式熱機関１１において、封入水を冷却、凝結させるには、自然・強制空冷、水冷、冷媒による冷却、ボイラー水の予備加熱、LNG（Liquefied Natural Gas）等の液化ガスの気化熱等を利用することができる。
【００２９】
レシプロ式熱機関１１において、ピストンをシリンダの頂点より押し下げる力は加熱・沸騰した水蒸気（過熱水蒸気）の過圧力であり、同ピストンをシリンダ頂点に向かい押し上げる力は冷却・凝縮により発生した減圧によるものである。
【００３０】
例えば、太陽光により封入水を加熱、沸騰させて、川、湖または海などの水である冷却水により、封入水を冷却するように、加熱・沸騰・加圧させるエネルギーは外部より無対価で供給され、冷却・凝結・減圧させるエネルギーも外部より無対価供給され、レシプロ式熱機関１１にて得た出力は全て利得となる。
【００３１】
すなわち、この場合、太陽光を集光装置（例えば、後述する凹面鏡６１）で集光し、シリンダ上部の沸騰器を加熱し、シリンダ内部の封入水を沸騰させ圧力を得て、シリンダ内のピストンを下死点に押し下げ、冷却されたシリンダ壁により、シリンダ内部の封入水を冷却して、冷却・減圧による凝結減圧を利用してピストンをシリンダ上部に移動させる事によりクランクシャフトに回転力を生じさせて、回転力を取り出す。
【００３２】
既存の外燃機関においては、空気、ガス等の気体の同一態の温度差による媒体の体積の増減により、シリンダ内に加圧・減圧を発生させ、シリンダ内部に設置されたピストンの移動によりクランクシャフトを回転させ動力を得る。この場合、気体の温度差による体積の増減は、式（１）で表される。
P1×V1/T1＝P2×V2/T2                              ・・・（１）
【００３３】
即ち、ヘリウムを常温摂氏２０度より４００度に加熱した場合でも体積比は2.29倍としかならないため高出力を得るためには機関の大型化を余儀なくされる。
【００３４】
しかしながら、レシプロ式熱機関１１においては、液体、気体の２態間を相転移する事により、体積の増減は、式（２）より、式（３）で表される。
PV＝nRT                                                ・・・（２）
1V=(1/18)0.082×373                                    ・・・（３）
【００３５】
即ち、1699.22の倍率となり、機関の大きさに対する出力は著しく増加する。
【００３６】
レシプロ式熱機関１１においては、例えば、自然エネルギーを利用してエネルギーを得る手段で、熱力学第１法則に準拠し、地球のエネルギー収支中の２３％（４京ワット）を司る蒸発散より得られる水の常温を利用し本機関の冷却工程を実行させる。
【００３７】
即ち、加熱・沸騰・加圧を、太陽熱より得たエネルギーを使い、冷却・凝結・減圧を上記の水で行う事でレシプロ式熱機関１１が創出するエネルギーを全て無対価で取り出す事が可能となる。また、太陽光の利用がおぼつかない場合も、レシプロ式熱機関１１より得たエネルギーの一部を加熱に利用しても上記冷却を無対価の空気、水を利用する事によりトータル発生エネルギーより加熱・沸騰に利用した分を差し引いた残りを運動エネルギーとして取り出す事が可能となる。
【００３８】
ここで、レシプロ式熱機関１１は、航空機、船舶、車両、などの運搬、移動手段に搭載される機関、および発電機、圧縮機など、産業用動力源として使用される機関として用いることができる。
【００３９】
以下、シリンダ、ピストン、クランク機構を採用した内燃機関・外燃機関・熱機関において一般的な機械的機構の説明および図示は、適宜省略する。
【００４０】
以下、図１乃至図６を参照して、本発明の実施の形態を説明する。
【００４１】
図１は、本発明の一実施の形態のレシプロ式熱機関１１の構成の例を示す図である。図１に示されるレシプロ式熱機関１１は、太陽光により封入水を加熱、沸騰させて、川、湖または海などの水により、封入水を冷却する。
【００４２】
レシプロ式熱機関１１は、シリンダ２１、シリンダヘッド２２、ピストン２３およびコネクティングロッド２４を含み構成される。シリンダ２１、シリンダヘッド２２、ピストン２３およびコネクティングロッド２４は、鉄またはアルミニウム合金などの金属、セラミックス、または繊維強化プラスチックなどの複合素材などから形成される。
【００４３】
シリンダ２１の内部には、円柱状の空間が形成されている。例えば、シリンダ２１は、円筒状に形成されている。シリンダヘッド２２は、シリンダ２１の一方の端部に設けられ、シリンダ２１の内部の円柱状の空間をシリンダ２１の一方の端部側で閉じる。シリンダヘッド２２には、弁機構は設けられていない。
【００４４】
ピストン２３は、円柱状に形成され、シリンダ２１の内部の空間に、上下動可能に格納されている。ピストン２３は、ピストンリングなどにより、気密性を維持して、シリンダ２１の内部の円柱状の空間をシリンダヘッド２２と対向して閉じる。
【００４５】
ピストン２３には、コネクティングロッド２４の一端が接続されている。コネクティングロッド２４の他端は、図示せぬクランクシャフトに接続されている。ピストン２３がシリンダ２１の内部を変位すると、コネクティングロッド２４によりクランクシャフトが回転させられる。
【００４６】
シリンダ２１、シリンダヘッド２２およびピストン２３で密閉されている空間には、水（封入水）が格納されている。すなわち、シリンダ２１、シリンダヘッド２２およびピストン２３は、常に水を密閉している。
【００４７】
シリンダ２１の側面のうち、ピストン２３が変位する部分には、クーリングジャケット３１が設けられている。クーリングジャケット３１は、ウォータジャケットとも称され、シリンダ２１の側面の全体に設けられている。クーリングジャケット３１には、川、湖または海などの水である冷却水が流される。すなわち、クーリングジャケット３１は、水を保持して、流すことのできる空間を形成する部分としてシリンダ２１に設けられている。クーリングジャケット３１の空間の側面のうち、ピストン２３側の側面には、冷却水と封入水との熱抵抗（界面熱抵抗）を下げる（熱伝達係数を上げる）ためにフィン４１が形成されている。すなわち、フィン４１は、伝熱面積を広げるために突起状または突起している板状に形成され、熱交換の効率を上げる。
【００４８】
クーリングジャケット３１には、接続管４２−１および４２−２が接続されている。接続管４２−１または４２−２のいずれか一方から、川、湖または海などの水が冷却水としてクーリングジャケット３１内に取り込まれて、接続管４２−１または４２−２の他方から、クーリングジャケット３１内の冷却水が排出される。
【００４９】
シリンダヘッド２２の中央であって、ピストン２３に対向する部分の中央には、沸騰器３２が設けられている。沸騰器３２は、金属またはカーボンなど、耐熱性が高く、圧力に耐える強度を有し、熱伝導率の高い素材から形成されている。沸騰器３２は、外部から加えられた熱を、シリンダ２１、シリンダヘッド２２およびピストン２３で密閉されている封入水に伝達させて、沸騰させる。例えば、沸騰器３２は、封入水を過熱水蒸気にする。
【００５０】
沸騰器３２には、収納部５１、孔５２および光熱変換部５３が形成されている。収納部５１は、シリンダヘッド２２の内側に、シリンダ２１、シリンダヘッド２２およびピストン２３で密閉されている封入水であって、液状となった封入水を収納するための容器状に形成されている。孔５２は、シリンダ２１、シリンダヘッド２２およびピストン２３で密閉されている封入水が収納部５１に出入りするための孔であり、収納部５１に設けられている。孔５２は、１つまたは複数収納部５１に設けられている。
【００５１】
光熱変換部５３は、沸騰器３２の部分のうち、シリンダヘッド２２の外側に露出している部分に形成されている。光熱変換部５３は、外部からの光を熱に変換する。光熱変換部５３は、窒化チタンなどの金属粒子またはカーボンや高分子材料などからなり、光を熱に変換する。
【００５２】
このように、沸騰器３２は、シリンダヘッド２２の外側に露出している。沸騰器３２の部分のうち、シリンダヘッド２２の外側に露出している部分には、外部からの光を熱に変換する光熱変換部５３が形成されている。光熱変換部５３で光から変換された熱は、シリンダヘッド２２の内側の封入水に伝達される。
【００５３】
また、レシプロ式熱機関１１には、凹面鏡６１が設けられている。凹面鏡６１は、湾曲した曲面の内側を鏡面とした鏡であり、平行に入射した光を焦点に集める。凹面鏡６１の焦点は、光熱変換部５３に合わせられている。凹面鏡６１は、太陽光が入射されると、沸騰器３２の光熱変換部５３に太陽光を集光する。
【００５４】
なお、凹面鏡６１は、複数であってもよく、凹面鏡６１に代えて、凸レンズやプリズムなどの集光機能を有する光学素子を採用することができる。また、凹面鏡６１や凸レンズやプリズムなどの太陽光を集光する光学素子は、１つまたは複数設けることができる。
【００５５】
次に、図１に示されるレシプロ式熱機関１１の動作を説明する。図１（Ａ）に示されるように、シリンダ２１、シリンダヘッド２２およびピストン２３で密閉されている封入水が液相である場合、封入水の体積が小さくなるので、ピストン２３は、上死点側すなわち、シリンダヘッド２２に近い側に変位する。凹面鏡６１により、沸騰器３２の光熱変換部５３に太陽光が集光されると、光熱変換部５３が太陽光を熱に変換する。沸騰器３２が、熱伝導率の高い素材から形成されているので、太陽光による熱は、沸騰器３２の収納部５１まで伝達される。液相の封入水が収納されている収納部５１に、十分な熱が伝達されると、収納部５１に収納されている封入水が加熱されて、沸騰する。
【００５６】
加熱されて、気相となった封入水（水蒸気である封入水）は、収納部５１に設けられている孔５２から出る。液相の封入水の体積に比較して、水蒸気となった封入水は体積が増えるので、ピストン２３が押される。図１（Ｂ）に示されるように、ピストン２３は、下死点側すなわち、シリンダヘッド２２から離れる側に変位する。
【００５７】
ピストン２３が、下死点側に変位すると、シリンダ２１、シリンダヘッド２２およびピストン２３で密閉されている封入水であって、水蒸気となった封入水は、シリンダ２１の側面に接することになり、シリンダ２１の側面のうち、ピストン２３が変位する部分には、クーリングジャケット３１が形成され、クーリングジャケット３１には、川、湖または海などの水である冷却水が流されているので、シリンダ２１、シリンダヘッド２２およびピストン２３で密閉されている水蒸気となった封入水は、冷却水により冷却される。シリンダ２１、シリンダヘッド２２およびピストン２３で密閉されている封入水が冷却されると、密閉されている封入水は、その体積が減り、液相に変化する。その結果、ピストン２３は、上死点側すなわち、シリンダヘッド２２に近い側に変位し、図１（Ａ）に示される状態に戻る。
【００５８】
このように、ピストン２３が上下して、コネクティングロッド２４により図示せぬクランクシャフトが回転させられる。
【００５９】
図２は、本発明の一実施の形態のレシプロ式熱機関１１の構成の他の例を示す図である。図２に構成の例を示すレシプロ式熱機関１１は、外部から供給される電気により封入水を加熱、沸騰させて、川、湖または海などの水により、内部の水を冷却する。例えば、図２に示されるレシプロ式熱機関１１において、抵抗加熱により、封入水が加熱されるか、誘導加熱により、封入水が加熱されるか、マイクロ波加熱により、封入水が加熱される。
【００６０】
図２に示されるレシプロ式熱機関１１は、シリンダ２１、シリンダヘッド７１、ピストン２３およびコネクティングロッド２４を含み構成される。図２において、図１に示される部分と同様に部分には同一の符号を付してあり、その説明は適宜省略する。
【００６１】
シリンダヘッド７１は、鉄またはアルミニウム合金などの金属、セラミックス、または繊維強化プラスチックなどの複合素材などから形成される。
【００６２】
シリンダヘッド７１は、シリンダ２１の一方の端部に設けられ、シリンダ２１の内部の円柱状の空間をシリンダ２１の一方の端部側で閉じる。シリンダヘッド７１には、弁機構は設けられていない。ピストン２３は、ピストンリングなどにより、気密性を維持して、シリンダ２１の内部の円柱状の空間をシリンダヘッド７１と対向して閉じる。
【００６３】
シリンダ２１、シリンダヘッド７１およびピストン２３で密閉されている空間には、封入水が格納されている。すなわち、シリンダ２１、シリンダヘッド７１およびピストン２３は、常に水を密閉している。
【００６４】
シリンダヘッド７１の中央であって、ピストン２３に対向する部分の中央には、沸騰器８１が設けられている。沸騰器８１は、金属またはカーボンなど、耐熱性が高く、圧力に耐える強度を有し、熱伝導率の高い素材から形成されている。沸騰器８１は、外部から加えられた電気のエネルギーを熱に変換して、シリンダ２１、シリンダヘッド７１およびピストン２３で密閉されている封入水を沸騰させる。例えば、沸騰器８１は、封入水を過熱水蒸気にする。
【００６５】
例えば、沸騰器８１には、ヒーターである電気抵抗が設けられ、外部から電圧が加えられると電流が流れ、電気抵抗は、抵抗加熱により、シリンダ２１、シリンダヘッド７１およびピストン２３で密閉されている封入水を加熱して沸騰させる。
【００６６】
また、例えば、沸騰器８１には、コイルおよび金属などの導体が設けられ、コイルに外部から交流の電流が流されると、金属が誘導加熱により加熱されて、金属の熱が封入水に伝達されて、封入水が加熱される。すなわち、例えば、沸騰器８１は、誘導加熱により、封入水を加熱する。
【００６７】
さらに、例えば、沸騰器８１には、マグネトロンまたはジャイロトロンなどの発振用素子が設けられ、発振用素子に電圧が印加されると、マイクロ波を射出して封入水が加熱される。すなわち、例えば、沸騰器８１は、マイクロ波加熱により、封入水を加熱する。沸騰器８１は、誘電加熱により、封入水を加熱すると言うこともできる。
【００６８】
沸騰器８１には、収納部９１および孔９２が形成されている。収納部９１は、シリンダヘッド７１の内側に、シリンダ２１、シリンダヘッド７１およびピストン２３で密閉されている封入水であって、液状となった封入水を収納するための容器状に形成されている。孔９２は、シリンダ２１、シリンダヘッド７１およびピストン２３で密閉されている封入水が収納部９１に出入りするための孔であり、収納部９１に設けられている。孔９２は、１つまたは複数収納部９１に設けられている。
【００６９】
このように、沸騰器８１は、外部から加えられた電気のエネルギーを熱に変換して、シリンダ２１、シリンダヘッド７１およびピストン２３で密閉されている封入水を沸騰させる。
【００７０】
次に、図２に示されるレシプロ式熱機関１１の動作を説明する。図２（Ａ）に示されるように、シリンダ２１、シリンダヘッド７１およびピストン２３で密閉されている封入水が液相である場合、封入水の体積が小さくなるので、ピストン２３は、上死点側すなわち、シリンダヘッド７１に近い側に変位する。沸騰器８１は、電気が供給されると、電気のエネルギーを熱に変換して、シリンダ２１、シリンダヘッド７１およびピストン２３で密閉されている封入水を沸騰させる。すなわち、収納部９１に収納されている封入水は加熱されて、沸騰する。
【００７１】
加熱されて、気相となった封入水（水蒸気である封入水）は、収納部９１に設けられている孔９２から出る。液相の封入水の体積に比較して、水蒸気となった封入水は体積が増えるので、ピストン２３が押される。図２（Ｂ）に示されるように、ピストン２３は、下死点側すなわち、シリンダヘッド７１から離れる側に変位する。
【００７２】
ピストン２３が、下死点側に変位すると、シリンダ２１、シリンダヘッド７１およびピストン２３で密閉されている封入水であって、水蒸気となった封入水は、シリンダ２１の側面に接することになり、シリンダ２１の側面のうち、ピストン２３が変位する部分には、クーリングジャケット３１が形成され、クーリングジャケット３１には、川、湖または海などの水である冷却水が流されているので、シリンダ２１、シリンダヘッド７１およびピストン２３で密閉されている水蒸気となった封入水は、冷却水により冷却される。シリンダ２１、シリンダヘッド７１およびピストン２３で密閉されている封入水が冷却されると、密閉されている封入水は、その体積が減り、液相に変化する。その結果、ピストン２３は、上死点側すなわち、シリンダヘッド７１に近い側に変位し、図２（Ａ）に示される状態に戻る。
【００７３】
このように、ピストン２３が上下して、コネクティングロッド２４により図示せぬクランクシャフトが回転させられる。
【００７４】
図３は、本発明の一実施の形態のレシプロ式熱機関１１の構成のさらに他の例を示す図である。図３に構成の例を示すレシプロ式熱機関１１は、太陽光により封入水を加熱、沸騰させて、外部の空気により、封入水を冷却する。
【００７５】
図３に示されるレシプロ式熱機関１１は、シリンダ１２１、シリンダヘッド２２、ピストン２３およびコネクティングロッド２４を含み構成される。図３において、図１に示される部分と同様に部分には同一の符号を付してあり、その説明は適宜省略する。
【００７６】
シリンダ１２１は、鉄またはアルミニウム合金などの金属、セラミックス、または繊維強化プラスチックなどの複合素材などから形成される。
【００７７】
シリンダ１２１の内部には、円柱状の空間が形成されている。例えば、シリンダ１２１は、円筒状に形成されている。シリンダヘッド２２は、シリンダ１２１の一方の端部に設けられ、シリンダ１２１の内部の円柱状の空間をシリンダ１２１の一方の端部側で閉じる。
【００７８】
ピストン２３は、シリンダ１２１の内部の空間に、上下動可能に格納されている。ピストン２３は、ピストンリングなどにより、気密性を維持して、シリンダ１２１の内部の円柱状の空間をシリンダヘッド２２と対向して閉じる。
【００７９】
シリンダ１２１、シリンダヘッド２２およびピストン２３で密閉されている空間には、水（封入水）が格納されている。すなわち、シリンダ１２１、シリンダヘッド２２およびピストン２３は、常に水を密閉している。
【００８０】
シリンダ１２１の側面のうち、ピストン２３が変位する部分の外側には、封入水と外気との熱抵抗（界面熱抵抗）を下げる（熱伝達係数を上げる）ためにクーリングフィン１３１が形成されている。すなわち、クーリングフィン１３１は、外部の空気に対して伝熱面積を広げるために突起状または突起している板状に形成され、外部の空気との熱交換の効率を上げる。クーリングフィン１３１は、封入水の熱を外部の空気に伝達して、封入水を冷却する。
【００８１】
次に、図３に示されるレシプロ式熱機関１１の動作を説明する。図３（Ａ）に示されるように、シリンダ１２１、シリンダヘッド２２およびピストン２３で密閉されている封入水が液相である場合、封入水の体積が小さくなるので、ピストン２３は、上死点側すなわち、シリンダヘッド２２に近い側に変位する。凹面鏡６１により、沸騰器３２の光熱変換部５３に太陽光が集光されると、光熱変換部５３が太陽光を熱に変換する。沸騰器３２が、熱伝導率の高い素材から形成されているので、太陽光による熱は、沸騰器３２の収納部５１まで伝達される。液相の封入水が収納されている収納部５１に、十分な熱が伝達されると、収納部５１に収納されている封入水が加熱されて、沸騰する。
【００８２】
加熱されて、気相となった封入水（水蒸気である封入水）は、収納部５１に設けられている孔５２から出る。液相の封入水の体積に比較して、水蒸気となった封入水は体積が増えるので、ピストン２３が押される。図３（Ｂ）に示されるように、ピストン２３は、下死点側すなわち、シリンダヘッド２２から離れる側に変位する。
【００８３】
ピストン２３が、下死点側に変位すると、シリンダ１２１、シリンダヘッド２２およびピストン２３で密閉されている封入水であって、水蒸気となった封入水は、シリンダ１２１の側面に接することになり、シリンダ１２１の側面のうち、ピストン２３が変位する部分には、クーリングフィン１３１が形成されているので、封入水の熱が外部の空気に伝達され、シリンダ１２１、シリンダヘッド２２およびピストン２３で密閉されている水蒸気となった封入水は、外部の空気により冷却される。シリンダ１２１、シリンダヘッド２２およびピストン２３で密閉されている封入水が冷却されると、密閉されている封入水は、その体積が減り、液相に変化する。その結果、ピストン２３は、上死点側すなわち、シリンダヘッド２２に近い側に変位し、図３（Ａ）に示される状態に戻る。
【００８４】
このように、ピストン２３が上下して、コネクティングロッド２４により図示せぬクランクシャフトが回転させられる。
【００８５】
なお、図３に示されるレシプロ式熱機関１１は、いわゆる自然空冷式とすることもできるが、冷却ファンを設けて、冷却ファンによる風をクーリングフィン１３１にあてる、いわゆる強制空冷式を採用することもできる。さらに、導風板を設けるようにしてもよい。
【００８６】
図４は、本発明の一実施の形態のレシプロ式熱機関１１の構成のさらに他の例を示す図である。図４に構成の例を示すレシプロ式熱機関１１は、外部から供給される電気により封入水を加熱、沸騰させて、外部の空気により、封入水を冷却する。
【００８７】
図４に示されるレシプロ式熱機関１１は、シリンダ１２１、シリンダヘッド７１、ピストン２３およびコネクティングロッド２４を含み構成される。図４において、図３に示される部分と同様に部分には同一の符号を付してあり、その説明は適宜省略する。また、図４において、図２に示される部分と同様に部分には同一の符号を付してあり、その説明は適宜省略する。
【００８８】
次に、図４に示されるレシプロ式熱機関１１の動作を説明する。図４（Ａ）に示されるように、シリンダ１２１、シリンダヘッド７１およびピストン２３で密閉されている封入水が液相である場合、封入水の体積が小さくなるので、ピストン２３は、上死点側すなわち、シリンダヘッド７１に近い側に変位する。沸騰器８１は、電気が供給されると、電気のエネルギーを熱に変換して、シリンダ１２１、シリンダヘッド７１およびピストン２３で密閉されている封入水を沸騰させる。すなわち、収納部９１に収納されている封入水は加熱されて、沸騰する。
【００８９】
加熱されて、気相となった封入水（水蒸気である封入水）は、収納部９１に設けられている孔９２から出る。液相の封入水の体積に比較して、水蒸気となった封入水は体積が増えるので、ピストン２３が押される。図４（Ｂ）に示されるように、ピストン２３は、下死点側すなわち、シリンダヘッド７１から離れる側に変位する。
【００９０】
ピストン２３が、下死点側に変位すると、シリンダ１２１、シリンダヘッド７１およびピストン２３で密閉されている封入水であって、水蒸気となった封入水は、シリンダ１２１の側面に接することになり、シリンダ１２１の側面のうち、ピストン２３が変位する部分には、クーリングフィン１３１が形成されているので、封入水の熱が外部の空気に伝達され、シリンダ１２１、シリンダヘッド７１およびピストン２３で密閉されている水蒸気となった封入水は、外部の空気により冷却される。シリンダ１２１、シリンダヘッド７１およびピストン２３で密閉されている封入水が冷却されると、密閉されている封入水は、その体積が減り、液相に変化する。その結果、ピストン２３は、上死点側すなわち、シリンダヘッド７１に近い側に変位し、図４（Ａ）に示される状態に戻る。
【００９１】
このように、ピストン２３が上下して、コネクティングロッド２４により図示せぬクランクシャフトが回転させられる。
【００９２】
図５は、本発明の一実施の形態のレシプロ式熱機関１１の構成のさらに他の例を示す図である。図５に構成の例を示すレシプロ式熱機関１１は、太陽光により封入水を加熱、沸騰させて、LNGまたはLPGなどの液化ガス燃料により、内部の水を冷却する。
【００９３】
図５に示されるレシプロ式熱機関１１は、シリンダ１５１、シリンダヘッド２２、ピストン２３およびコネクティングロッド２４を含み構成される。図５において、図１に示される部分と同様に部分には同一の符号を付してあり、その説明は適宜省略する。
【００９４】
シリンダ１５１は、鉄またはアルミニウム合金などの金属、セラミックス、または繊維強化プラスチックなどの複合素材などから形成される。
【００９５】
シリンダ１５１の内部には、円柱状の空間が形成されている。例えば、シリンダ１５１は、円筒状に形成されている。シリンダヘッド２２は、シリンダ１５１の一方の端部に設けられ、シリンダ１５１の内部の円柱状の空間をシリンダ１５１の一方の端部側で閉じる。
【００９６】
ピストン２３は、シリンダ１５１の内部の空間に、上下動可能に格納されている。ピストン２３は、ピストンリングなどにより、気密性を維持して、シリンダ１５１の内部の円柱状の空間をシリンダヘッド２２と対向して閉じる。
【００９７】
シリンダ１５１、シリンダヘッド２２およびピストン２３で密閉されている空間には、水（封入水）が格納されている。すなわち、シリンダ１５１、シリンダヘッド２２およびピストン２３は、常に水を密閉している。
【００９８】
シリンダ１５１の側面のうち、ピストン２３が変位する部分には、クーリングジャケット１６１が設けられている。クーリングジャケット１６１は、シリンダ１５１の側面の全体に設けられている。クーリングジャケット１６１には、LNGまたはLPGなどの液化ガス燃料である冷却媒体が流される。すなわち、クーリングジャケット１６１は、液化ガス燃料を保持して、流すことのできる空間を形成する部分としてシリンダ１５１に設けられている。
【００９９】
クーリングジャケット１６１には、接続管１７１−１および１７１−２が接続されている。接続管１７１−１または１７１−２のいずれか一方から、LNGまたはLPGなどの液化ガス燃料が冷却媒体としてクーリングジャケット１６１内に取り込まれて、接続管１７１−１または１７１−２の他方から、クーリングジャケット１６１内の液化ガス燃料が排出される。例えば、接続管１７１−１から、液状の液化ガス燃料が冷却媒体としてクーリングジャケット１６１内に取り込まれて、封入水の熱で液化ガス燃料が気化したガス燃料が接続管１７１−２を通してクーリングジャケット１６１から排出される。
【０１００】
次に、図５に示されるレシプロ式熱機関１１の動作を説明する。図５（Ａ）に示されるように、シリンダ１５１、シリンダヘッド２２およびピストン２３で密閉されている封入水が液相である場合、封入水の体積が小さくなるので、ピストン２３は、上死点側すなわち、シリンダヘッド２２に近い側に変位する。凹面鏡６１により、沸騰器３２の光熱変換部５３に太陽光が集光されると、光熱変換部５３が太陽光を熱に変換する。沸騰器３２が、熱伝導率の高い素材から形成されているので、太陽光による熱は、沸騰器３２の収納部５１まで伝達される。液相の封入水が収納されている収納部５１に、十分な熱が伝達されると、収納部５１に収納されている封入水が加熱されて、沸騰する。
【０１０１】
加熱されて、気相となった封入水（水蒸気である封入水）は、収納部５１に設けられている孔５２から出る。液相の封入水の体積に比較して、水蒸気となった封入水は体積が増えるので、ピストン２３が押される。図５（Ｂ）に示されるように、ピストン２３は、下死点側すなわち、シリンダヘッド２２から離れる側に変位する。
【０１０２】
ピストン２３が、下死点側に変位すると、シリンダ１５１、シリンダヘッド２２およびピストン２３で密閉されている封入水であって、水蒸気となった封入水は、シリンダ１５１の側面に接することになり、シリンダ１５１の側面のうち、ピストン２３が変位する部分には、クーリングジャケット１６１が形成され、クーリングジャケット１６１には、液化ガス燃料である冷却媒体が流されているので、液化ガス燃料である冷却媒体が封入水から気化熱を奪い、シリンダ１５１、シリンダヘッド２２およびピストン２３で密閉されている水蒸気となった封入水は冷却される。シリンダ１５１、シリンダヘッド２２およびピストン２３で密閉されている封入水が冷却されると、密閉されている封入水は、その体積が減り、液相に変化する。その結果、ピストン２３は、上死点側すなわち、シリンダヘッド２２に近い側に変位し、図５（Ａ）に示される状態に戻る。
【０１０３】
このように、ピストン２３が上下して、コネクティングロッド２４により図示せぬクランクシャフトが回転させられる。
【０１０４】
図６は、本発明の一実施の形態のレシプロ式熱機関１１の構成のさらに他の例を示す図である。図６に構成の例を示すレシプロ式熱機関１１は、外部から供給される電気により封入水を加熱、沸騰させて、LNGまたはLPGなどの液化ガス燃料により、封入水を冷却する。
【０１０５】
図６に示されるレシプロ式熱機関１１は、シリンダ１５１、シリンダヘッド７１、ピストン２３およびコネクティングロッド２４を含み構成される。図６において、図５に示される部分と同様に部分には同一の符号を付してあり、その説明は適宜省略する。また、図６において、図２に示される部分と同様に部分には同一の符号を付してあり、その説明は適宜省略する。
【０１０６】
次に、図６に示されるレシプロ式熱機関１１の動作を説明する。図６（Ａ）に示されるように、シリンダ１５１、シリンダヘッド７１およびピストン２３で密閉されている封入水が液相である場合、封入水の体積が小さくなるので、ピストン２３は、上死点側すなわち、シリンダヘッド７１に近い側に変位する。沸騰器８１は、電気が供給されると、電気のエネルギーを熱に変換して、シリンダ１５１、シリンダヘッド７１およびピストン２３で密閉されている封入水を沸騰させる。すなわち、収納部９１に収納されている封入水は加熱されて、沸騰する。
【０１０７】
加熱されて、気相となった封入水（水蒸気である封入水）は、収納部９１に設けられている孔９２から出る。液相の封入水の体積に比較して、水蒸気となった封入水は体積が増えるので、ピストン２３が押される。図６（Ｂ）に示されるように、ピストン２３は、下死点側すなわち、シリンダヘッド７１から離れる側に変位する。
【０１０８】
ピストン２３が、下死点側に変位すると、シリンダ１５１、シリンダヘッド７１およびピストン２３で密閉されている封入水であって、水蒸気となった封入水は、シリンダ１２１の側面に接することになり、シリンダ１２１の側面のうち、ピストン２３が変位する部分には、クーリングジャケット１６１が形成され、クーリングジャケット１６１には、液化ガス燃料である冷却媒体が流されているので、液化ガス燃料である冷却媒体が封入水から気化熱を奪い、シリンダ１５１、シリンダヘッド７１およびピストン２３で密閉されている水蒸気となった封入水は冷却される。シリンダ１５１、シリンダヘッド７１およびピストン２３で密閉されている封入水が冷却されると、密閉されている封入水は、その体積が減り、液相に変化する。その結果、ピストン２３は、上死点側すなわち、シリンダヘッド７１に近い側に変位し、図６（Ａ）に示される状態に戻る。
【０１０９】
このように、ピストン２３が上下して、図示せぬクランクシャフトが回転させられる。
【０１１０】
以上のように、レシプロ式熱機関１１においては、化石燃料、炭化水素系の燃料を一切使用しないようにすることができ地球環境に対して極めて影響力が低い。
【０１１１】
また、レシプロ式熱機関１１によれば、外部よりの有償エネルギーの消費が無い為、エネルギー生産コストが極めて低い。
【０１１２】
さらに、レシプロ式熱機関１１において、オゾン層の破壊、海洋汚染、地球温暖化に対する影響がほとんど無い。
【０１１３】
さらにまた、レシプロ式熱機関１１によれば、内燃機関の様な爆発が無いので作動が静粛である。また、レシプロ式熱機関１１によれば、高圧部が無いため爆発の危険性が低く、耐圧・耐熱構造を必要とする配管等が無いため、作成や保守が容易である。
【０１１４】
また、レシプロ式熱機関１１においては、スパークプラグが無いので電波ノイズが発生しない。
【０１１５】
なお、レシプロ式熱機関１１は、２気筒や４気筒など、いわゆる複数気筒の構成とすることもできる。
【０１１６】
また、沸騰器３２または沸騰器８１は、１つのシリンダヘッド２２またはシリンダヘッド７１に複数設けるようにしてもよい。さらに、１つのシリンダヘッド２２またはシリンダヘッド７１に、沸騰器３２および沸騰器８１を設けるようにしてもよい。さらにまた、１つのレシプロ式熱機関１１に、シリンダ２１、シリンダヘッド２２およびピストン２３からなる気筒と、シリンダ２１、シリンダヘッド７１、ピストン２３からなる気筒とを設けるようにしてもよい。同様に、１つのレシプロ式熱機関１１に、図１乃至図６に示される構成のいずれかを気筒ごとに採用するようにしてもよい。
【０１１７】
なお、沸騰器３２または沸騰器８１は、ピストン２３の位置に応じて、封入水を加熱するようにしてもよい。例えば、沸騰器３２または沸騰器８１は、ピストン２３が上死点の近傍にある場合、封入水を加熱するようにしてもよい。
【０１１８】
また、沸騰器３２は、温泉のお湯や高温の岩体により得られた蒸気や熱水などの地熱により、封入水を加熱するようにしてもよい。
【０１１９】
なお、ボイラー水をクーリングジャケット３１に流して、予備加熱をするようにしてもよい。
【０１２０】
このように、レシプロ式熱機関１１は、シリンダ２１、シリンダヘッド２２およびピストン２３を備える。沸騰器３２は、シリンダヘッド２２に設けられている。沸騰器３２は、外部から供給されるエネルギーにより、シリンダ２１、シリンダヘッド２２およびピストン２３で密閉されている水を加熱する。クーリングジャケット３１は、シリンダ２１に設けられている。クーリングジャケット３１は、外部からの冷却媒体により水を冷却する。シリンダ２１、シリンダヘッド２２およびピストン２３は、常に水を密閉している。
【０１２１】
シリンダ２１、シリンダヘッド２２およびピストン２３が、常に水を密閉しているようにしたので、動弁系などの機構が不要になり、より簡単な構成となり、また、シーリングすべき部分が減り、密閉されている水が外部に放出されてしまう可能性を低くすることができるので、より長いインターバルで、より簡単にメンテナンスできるようになり、より簡単に保守できる。さらに、シリンダ２１、シリンダヘッド２２およびピストン２３は、常に水を密閉し、沸騰器３２が、外部から供給されるエネルギーにより、密閉されている水を加熱し、クーリングジャケット３１が、外部からの冷却媒体により水を冷却するので、構造を簡単にすることができ、特殊な材料や機材を必要としない。このように、特殊な材料や機材を必要とせず、より簡単な構成で、より簡単に保守できる。
【０１２２】
沸騰器３２に、液状となった水を収納するための容器状の収納部５１を形成し、収納部５１には、水が収納部に出入りするための孔５２を形成することができる。このようにすることで、シリンダ２１、シリンダヘッド２２およびピストン２３により密閉されている水が、より容易に、液相の水が気相の水蒸気になることにより膨張でき、また水蒸気から液相の水になることにより収縮でき、これにより、より効率的にピストン２３を駆動させることができる。
【０１２３】
沸騰器３２を、シリンダヘッド２２の外側に露出させ、沸騰器３２の部分のうち、シリンダヘッド２２の外側に露出している部分に、外部からの光を熱に変換する光熱変換部５３を形成し、光熱変換部５３で光から変換された熱が、シリンダヘッド２２の内側の水に伝達されるようにすることができる。このようにすることで、水を加熱するための、外部から供給されるエネルギーとして、太陽光などの光のエネルギーを利用することができる。
【０１２４】
沸騰器３２の光熱変換部５３に太陽光を集光する凹面鏡６１をさらに設けることができる。このようにすることで、水を加熱するための、外部から供給されるエネルギーとして、太陽光などの光のエネルギーをより効果的に利用することができる。
【０１２５】
沸騰器８１を、電気である、外部から供給されるエネルギーにより、水を加熱するものとすることができる。このようにすることで、水を加熱するための、外部から供給されるエネルギーとして、電気のエネルギーを利用することができる。
【０１２６】
沸騰器８１には、抵抗加熱により、水を加熱させることができる。沸騰器８１には、誘導加熱により、水を加熱させることができる。沸騰器８１には、マイクロ波加熱により、水を加熱させることができる。
【０１２７】
クーリングジャケット３１には、外部からの水である冷却媒体により、シリンダ２１、シリンダヘッド２２およびピストン２３で密閉されている水を冷却させることができる。このようにすることで、水を冷却する外部の冷却媒体として、川や湖、海の水などを利用することができる。
【０１２８】
クーリングフィン１３１には、外部の空気である冷却媒体により、シリンダ１２１、シリンダヘッド２２およびピストン２３で密閉されている水を冷却させることができる。このようにすることで、水を冷却する外部の冷却媒体として、熱機関の周辺の空気を利用でき、より簡単な構成とすることができる。
【０１２９】
クーリングジャケット１６１には、液化ガス燃料である冷却媒体により、シリンダ１５１、シリンダヘッド２２およびピストン２３で密閉されている水を冷却させることができる。このようにすることで、水を冷却する外部の冷却媒体として、LNG（Liquefied Natural Gas）またはLPG（Liquefied Petroleum Gas）などの液化ガス燃料を利用することができる。
【０１３０】
また、本発明の実施の形態は、上述した実施の形態に限定されるものではなく、本発明の要旨を逸脱しない範囲において種々の変更が可能である。
【符号の説明】
【０１３１】
１１  レシプロ式熱機関，  ２１  シリンダ，  ２２  シリンダヘッド，  ２３  ピストン，  ２４  コネクティングロッド，  ３１  クーリングジャケット，  ３２  沸騰器，  ４１  フィン，  ４２−１および４２−２  接続管，  ５１  収納部，  ５２  孔、  ５３  光熱変換部，  ７１  シリンダヘッド，  ８１  沸騰器，  ９１  収納部，  ９２  孔，  １２１  シリンダ，  １３１  クーリングフィン，  １５１  シリンダ，  １６１  クーリングジャケット，  １７１−１および１７１−２  接続管
【図１】
2019196713.tif 000003
【図２】
2019196713.tif 000004
【図３】
2019196713.tif 000005
【図４】
2019196713.tif 000006
【図５】
2019196713.tif 000007
【図６】
2019196713.tif 000008